(57)【要約】【課題】開閉蓋を、簡単な操作で、安全且つ効率的に開くことができ、しかも、意匠性の向上を図れるようにする。【解決手段】開閉蓋３付きの照明ケース４と、その照明ケース４の中に備えた発光部５とを設け、開閉蓋３は、照明ケース４に対して揺動自在に連結する連結部６を一端部に設けてあると共に、照明ケース４に対して掛止自在な掛止部３ａを他端部に設けて構成してあり、連結部６は、蓋面に沿って開閉蓋３をスライドさせることで掛止部３ａの掛止を解除した後、開閉蓋３を開方向に揺動できるように構成してある。【選択図】図１
2010199031.tif 000002
【特許請求の範囲】
【請求項１】
開閉蓋付きの照明ケースと、
その照明ケースの中に備えた発光部とを設け、
前記開閉蓋は、前記照明ケースに対して揺動自在に連結する連結部を一端部に設けてあると共に、前記照明ケースに対して掛止自在な掛止部を他端部に設けて構成してあり、
前記連結部は、蓋面に沿って前記開閉蓋をスライドさせることで前記掛止部の掛止を解除した後、前記開閉蓋を開方向に揺動できるように構成してある照明具。
【請求項２】
前記連結部は、ヒンジを備えて揺動機構を構成してある請求項１に記載の照明具。
【請求項３】
前記連結部は、二つのヒンジを連設して揺動機構を構成してある請求項１又は２に記載の照明具。
【請求項４】
前記開閉蓋が閉状態で蓋厚み方向へ移動するのを阻止する移動阻止機構を、前記連結部側と前記掛止部側とに備えてある請求項１〜３の何れか１項に記載の照明具。
【発明の詳細な説明】
【技術分野】
【０００１】
本発明は、例えば、オフィス等の天井部に多数設置して、室内を明るく照明するのに使用できる照明具に関し、更に詳しくは、開閉蓋付きの照明ケースと、その照明ケースの中に備えた発光部とを設けて構成してある照明具に関する。
但し、用途は、オフィス照明に限るものではない。
【背景技術】
【０００２】
従来、この種の照明具としては、照明ケースの下方開口縁部に、透光性の開閉蓋の外周縁部を載置する状態に掛止してあるもの（以後、第１従来例と略称する）があった（例えば、特許文献１参照）。
また、別の照明具としては、照明ケースに対して揺動自在に連結するヒンジ連結部を開閉蓋の一端部に設け、照明ケースに対して係止自在なラッチ部を開閉蓋の他端部に設けて構成してあるもの（以後、第２従来例と略称する）があった（例えば、特許文献２、特許文献３参照）。
【先行技術文献】
【特許文献】
【０００３】
【特許文献１】特開２００８−１５０１８７号公報（段落番号〔００１３〕、図２）
【特許文献２】特開２００５−９３２６６号公報（段落番号〔００１０〕、図１）
【特許文献３】特許第３９０３７１８号公報（段落番号〔００２７〕、図８）
【発明の概要】
【発明が解決しようとする課題】
【０００４】
上述した第１従来例の照明具によれば、開閉蓋を開くには、照明ケースの下方開口縁部から開閉蓋の外周縁部が離間するように開閉蓋を上方に持ち上げた状態で、開閉蓋を斜めにしながら、照明ケースの下方開口を通して下方へ抜き出す手順で開閉蓋の開作業を実施する必要がある。
このような作業は、開閉蓋の移動軌跡が定まり難いから、照明ケース内の発光部やその他の機器部分に開閉蓋が当たって照明具が破損したり故障する危険性が高く、更には開閉蓋が落下し易く、これらを防止する意味で、慎重な作業が要求されるから、極めて手間の掛かる作業となる。ましてや、一連の作業は、上向き作業となるから、天井に設けられた多数の照明具の開閉蓋を順次開くような場合には、より作業効率が低下し易い。
また、開閉蓋の開作業は、上述のように慎重に行う必要があるから、予想以上にその難易度が高く、熟練を要するものとなる。
一方、上述した第２従来例の照明具によれば、誰が開操作しても、開閉蓋はヒンジ連結部周りの定まった軌跡で揺動するから、蓋が発光部やその他の部分に当たって破損する危険性は殆ど無い。しかしながら、開閉蓋を開くには、ラッチ部の係止を解除した後、開閉蓋を開方向に揺動させる必要があり、例えば、ラッチ部が多数あるような照明具の場合、全てのラッチ部を係止解除するのに手間が掛かり、開閉蓋の開作業効率が低下し易い。
また、ヒンジ連結部やラッチ部が外部に露出しているから、外観の意匠性が低下し易い問題点がある。この問題を解消する為に、ヒンジ連結部やラッチ部が表面に露出しないようなデザインにすると、ラッチの操作性が低下し、より開閉蓋の開作業効率が低下し易くなる。
【０００５】
従って、本発明の目的は、上記問題点を解消し、開閉蓋を、簡単な操作で、安全且つ効率的に開くことができ、しかも、意匠性の向上を図れる照明具を提供するところにある。
【課題を解決するための手段】
【０００６】
本発明の第１の特徴構成は、開閉蓋付きの照明ケースと、その照明ケースの中に備えた発光部とを設け、前記開閉蓋は、前記照明ケースに対して揺動自在に連結する連結部を一端部に設けてあると共に、前記照明ケースに対して掛止自在な掛止部を他端部に設けて構成してあり、前記連結部は、蓋面に沿って前記開閉蓋をスライドさせることで前記掛止部の掛止を解除した後、前記開閉蓋を開方向に揺動できるように構成してあるところにある。
【０００７】
本発明の第１の特徴構成によれば、開閉蓋の開操作は、開閉蓋を蓋面に沿ってスライドさせて掛止部の掛止を解除した後、開方向に揺動させる一連の操作によって実施できる。
即ち、開閉蓋の閉状態から揺動可能な状態にするのに、開閉蓋をスライドさせるだけの簡単な操作によって実施できるから、従来のように、多数のラッチ部をそれぞれ係止解除する繁雑な操作が伴わず、短時間で次の揺動操作に移行して開閉蓋を効率よく開くことが可能となる。また、開閉蓋の揺動そのものは、連結部周りの移動軌跡を維持しながら安定した状態で実施できるから、特に熟練を要することもなく、誰が操作しても簡単に且つ効率的に開操作を実施できる。
また、開閉蓋の設置構造は、照明ケースに対して開閉蓋の端部を掛止させておくだけのシンプルな構造を採用できるから、従来のような多数のラッチ部が照明具の表面に露出するといった問題がなく、意匠性の向上を図ることができる。
即ち、開閉蓋を、簡単な操作で、安全且つ効率的に開くことができ、しかも、意匠性の向上をも図ることができるようになる。
因みに、照明ケースに対して揺動自在に連結する連結部の構造としては、一例としては、ヒンジ構造や、屈曲自在な連結材（例えば、布や紐等）によって連結する構造や、可撓自在な連結材（バネ材や合成樹脂ベルト等）によって連結する構造等を挙げることができる。
【０００８】
本発明の第２の特徴構成は、前記連結部は、ヒンジを備えて揺動機構を構成してあるところにある。
【０００９】
本発明の第２の特徴構成によれば、照明ケースに対する開閉蓋の揺動を、ヒンジによって叶えることができ、ヒンジ軸芯周りの一定した揺動軌跡によって実現することができる。よって、開閉操作時の力の入れ具合や、開操作する人に差があっても、同じ揺動軌跡に沿って開くことができ、不用意に開閉蓋が他部に当たって損傷が発生すると言ったことを防止し易くなり、操作性を向上させることができる。
因みに、ヒンジとしては、ヒンジ軸部材を備えてその軸芯周りに揺動できる構造のものや、例えば、合成樹脂等の可撓部材によって連結部を構成して、揺動軸芯に沿った薄肉部を連結部に形成し、その薄肉部における屈曲によって揺動できるように構成したものを例として挙げることができる。要するに、揺動軸芯を備えて、照明ケースに対して開閉蓋が前記揺動軸芯周りに揺動できる状態に連結されたものであればよく、必ずしも、ヒンジ軸部材を備えたものに限るものではない。また、連結部は、二つ以上のヒンジを備えて構成してあってもよい。
【００１０】
本発明の第３の特徴構成は、前記連結部は、二つのヒンジを連設して揺動機構を構成してあるところにある。
【００１１】
本発明の第３の特徴構成によれば、照明ケースに対する開閉蓋の揺動と、開閉蓋の蓋面に沿ったスライドとを、連設された二つのヒンジの回転によって実現することが可能となる。従って、揺動機構に加えて複雑なスライド連結機構を用意しなくても、これら連設された二つのヒンジによって叶えることができ、メンテナンス性の向上や、コストダウンが可能となる。
【００１２】
本発明の第４の特徴構成は、前記開閉蓋が閉状態で蓋厚み方向へ移動するのを阻止する移動阻止機構を、前記連結部側と前記掛止部側とに備えてあるところにある。
【００１３】
本発明の第４の特徴構成によれば、スライド及び揺動といった開閉蓋の動きを許容しながら、移動阻止機構によって開閉蓋が蓋厚み方向に移動するのを阻止することができるようになり、例えば、閉状態の開閉蓋の下方から吹き上げ方向の力が作用しても、開閉蓋が浮き上がるのを防止でき、安定した取付姿勢を維持することができる。即ち、開閉蓋に浮き吹き上げ方向の力が作用すると、従来の場合では、開閉蓋が上下に移動して振動や騒音を発生したり、外れて落下する危険性があり、これらの問題点を、前記移動阻止機構によって未然に防止することができる。
その結果、開閉蓋が不用意に外れたり落下しない取付状態を、安定的に提供することができる。
因みに、開閉蓋に作用する吹き上げ力とは、気密性の高い室内にあっては、例えば、ドアの開け閉めに伴う一時的な気圧の上昇が原因で発生することがあり、屋外にあっては、風圧によって発生することがある。
【図面の簡単な説明】
【００１４】
【図１】照明具の設置状況を示す斜視図
【図２】照明具の設置状況を示す切欠き斜視図
【図３】照明具の設置状況を示す横断面図
【図４】照明具の設置状況を示す横断面図
【図５】照明具の設置状況を示す横断面図
【図６】別実施形態の照明具の要部を示す横断面図
【発明を実施するための形態】
【００１５】
以下に本発明の実施の形態を図面に基づいて説明する。
【００１６】
図１、図２は、本発明の照明具の一実施形態品を天井部分に設置してある状況を示すものである。
当該照明具１は、天井ボード２の表面より上方に入り込んだ状態に設置され、天井面に沿って長尺寸法のライン照明具として構成されている。
【００１７】
前記照明具１は、横断面形状が略矩形形状に構成してあり、開閉蓋３付きの照明ケース４と、その照明ケース４の中に備えた蛍光灯（発光部の一例）５とを設けて構成してある。尚、開閉蓋３は、照明具１の下面部分に配置してあり、閉状態で蛍光灯５からの光を下方へ透過できるように構成してある一方、開状態では、照明具１内部の点検や、前記蛍光灯５の着脱操作を実施できるように構成してある。また、開閉蓋３は、ケース長手方向に複数分割されており、個別に開閉できるように構成されている。
【００１８】
前記照明ケース４は、図１に示すように、照明具１の横断面矩形形状の各辺部の内、左右の両側辺部４Ａ，４Ｂと上辺部４Ｃとを構成するもので、一連の金属板で形成されている。
前記左側の側辺部４Ａと、右側の側辺部４Ｂとの下端縁部には、それぞれ対向方向に突出させた突出端部４Ｄ，４Ｅが一体に設けられており、これら突出端部４Ｄ，４Ｅの先端部には、化粧用の金属製帯板４Ｄａ，４Ｅａが、それぞれ帯幅方向が縦になる状態でケース全長にわたって一体に設けられている。左側の帯板４Ｄａの上縁部は、前記開閉蓋３の左端部の掛止部３ａを載置自在な被掛止部となる。両帯板４Ｄａ，４Ｅａの外面側には、前記天井ボード２の端面が当接する納まりで設置されており、両帯板４Ｄａ，４Ｅａの下端部と、前記天井ボード２の下面とが略面一となる位置関係でそれぞれが設けられている。
【００１９】
前記左側の側辺部４Ａの内周部には、前記突出端部４Ｄの上方に平行な状態で突片金物４Ａａが一体に設けてある。
この突片金物４Ａａは、ケース長手方向に間隔をあけて複数個所に設けてあり、前記帯板４Ｄａとの間に、前記開閉蓋３の掛止部３ａが位置できる位置関係で設置され、開閉蓋３が浮き上がるのを防止できるように構成されている。突片金物４Ａａは、本発明に係わる移動阻止機構Ｒの一例である。
【００２０】
一方、前記右側の側辺部４Ｂの内周部には、前記突出端部４Ｅの上方に離間して平行な状態で、別の突片金物４Ｂａが一体に設けてあり、この突片金物４Ｂａに、連結部６を介して前記開閉蓋３が連結されている。この突片金物４Ｂａも、ケース長手方向に間隔をあけて複数個所に設けられている。
【００２１】
前記開閉蓋３は、前述のとおり、蛍光灯５の光を透過できるように構成されており、当該実施形態においては、合成樹脂製の半透明板で構成されている。
開閉蓋３の幅寸法は、前記両帯板４Ｄａ，４Ｅａどうしの間隔寸法より若干長く設定してある。従って、開閉蓋３を閉操作すると、開閉蓋３の幅方向での両端側部分は、それぞれ両帯板４Ｄａ，４Ｅａの上に当接する状態となり、前記両帯板４Ｄａ，４Ｅａ間の開口をこの開閉蓋３で閉塞することができる。
また、開閉蓋３を開操作する時には、図３〜５に示すように、蓋面に沿って開閉蓋３を前記連結部６側へスライドさせることで、開閉蓋３の前記掛止部３ａが帯板４Ｄａの上端部を乗り越え、帯板４Ｄａへの掛止を解除でき、それ以後、開閉蓋３を下方に揺動させて開くことができる。
尚、開閉蓋３の掛止部３ａ側の端部には、上述の掛止部３ａの係止解除に伴って不用意に開閉蓋３が下方へ揺動してしまわないように、安全機構が設けてある。
この安全機構は、具体的には、開閉蓋３の端部から前記側辺部４Ａ側にオーバーハングする状態（閉状態の開閉蓋３の端部から上方に屈曲して更に水平方向で側辺部４Ａ側に屈曲した状態）に設けられた掛止片３ｂで構成してある。従って、開閉蓋３を側辺部４Ｂ側にスライドさせて、上述のように掛止解除しても（図３参照）、次の段階で、前記掛止片３ｂが前記帯板４Ｄａ上に掛止し、開閉蓋３が一気に開くのを防止できる（図４参照）。
因みに、開閉蓋３に対する掛止片３ｂの取付位置は、開閉蓋３の側縁部で、突出端部４Ｄの上に被さる部分に設定してある。このことによって、蛍光灯５の光を遮り難いことと、閉状態の照明具１を下方から見上げた時に、掛止片３ｂが開閉蓋３を通して見え難いようにでき、機能性と美観性の維持を図ることができる。
【００２２】
前記開閉蓋３の前記掛止部３ａとは反対側の端部には、上述のように、連結部６が設けてあり、照明ケース４に対して開閉蓋３を揺動できるように、連結してある。
前記連結部６は、上下に連設した二つのヒンジＨを設けて構成してある。
上に配置された第１ヒンジＨ１は、前記突片金物４Ｂａの先端部にヒンジ軸を備えて構成されている。
前記第１ヒンジＨ１の下方に、第１支持片６ａを介して第２ヒンジＨ２のヒンジ軸が配置されている。
また、第２ヒンジＨ２と開閉蓋３とは、第２支持片６ｂを介して一体に連結されている。この第２支持片６ｂの開閉蓋３への取付個所は、前記掛止片３ｂの場合と同様に、開閉蓋３の側縁部で突出端部４Ｅの上に被さる部分に設定されており、蛍光灯５の光を遮り難くすると共に、下方から当該照明具１を見上げた際の美観性の維持を図れるように配慮されている。
また、当該連結部６は、各ヒンジＨ１，Ｈ２と各支持片６ａ，６ｂとを備えて構成してあり、ヒンジ軸周りの回転は許容するものの、例えば、図１の中の矢印で示すように、開閉蓋３に対して上方に浮き上がらせる力が作用する場合は、それを阻止する耐力を発揮でき、開閉蓋３が浮き上がるのを防止できる。前記突片金物４Ａａと同様に、当該連結部６も、本発明に係わる移動阻止機構Ｒに相当する。
【００２３】
次に、当該照明具１の開閉蓋３の開閉操作について説明する。
［１］  閉状態の開閉蓋３を、蓋面に沿って前記連結部６側にスライドさせて、前記掛止部３ａの掛止を解除する（図３参照）。この状態で手を放しても、開閉蓋３の裏面側に位置する掛止片３ｂが、左側の帯板４Ｄａの上縁部に引っ掛かり、即座に下方に揺動することは無い（図４参照）。
また、開閉蓋３のスライドに伴っては、前記第１ヒンジＨ１と第２ヒンジＨ２とが軸芯周りに回転することで落下の無い状態でスライドを許容している。
［２］  更に、開閉蓋３を連結部６側にスライドさせて掛止片３ｂの掛止状態も解除すると、図５に示すように、開閉蓋３を下方へ揺動させて開くことができる。この揺動時においても、開閉蓋３は、前記両ヒンジＨによって揺動自在に支持されているから、落下の危険がない。
［３］  開閉蓋３を閉める時は、上述の手順を逆手順で実施することで簡単に閉めることができる。
【００２４】
本実施形態の照明具１によれば、開閉蓋３の閉状態においては、吹き上げ力が作用するような場合でも安定した取付状態を維持できながら、スライドと揺動とを組み合わせた簡単な手順によって誰が操作しても安全且つ効率的に開閉蓋３を開くことができ、しかも、意匠性の向上をも図ることができる。
また、全体構造が極めて簡単なものであり、メンテナンス性の向上や、コストダウンが可能となる。
【００２５】
〔別実施形態〕
以下に他の実施の形態を説明する。
【００２６】
〈１〉  当該照明具１は、先の実施形態で説明した形状や素材に限るものではなく、適宜変更することが可能である。例えば、発光部５は、蛍光灯に限らず、他の発光手段であってもよい。また、開閉蓋３は、合成樹脂製の半透明板で構成してあるものに限らず、例えば、各種板ガラス等であったり、金属板に透光孔を設けたものであってもよく、それらを含めて開閉蓋と総称する。
〈２〉  前記連結部６は、先の実施形態で説明した二つのヒンジを備えて構成したものに限るものではなく、例えば、一つのヒンジと、開閉蓋のスライドを許容するスライド機構とを備えたものであったり、三つ以上のヒンジを備えた構成であってもよい。
また、ヒンジの構成に関しては、先の実施形態で説明したように、ヒンジ軸を備えた構成のものに限らず、例えば、合成樹脂の帯体の一部を薄肉に形成して、その薄肉部の可撓性を利用して揺動を許容できるように構成したものもヒンジとして含むものである。
また、必ずしも、上述のようなヒンジを備えておく必要はなく、照明ケース４と開閉蓋３とを、例えば、合成樹脂の可撓ベルト等で連結するものであったり、金属板バネや、他のバネ材で連結するものであってもよく、それらを含めて連結部６と総称する。
要するに、連結部６は、蓋面に沿って前記開閉蓋３をスライドさせることで掛止部３ａの掛止を解除した後、前記開閉蓋３を開方向に揺動できるように構成してあればよい。
〈３〉  前記移動阻止機構Ｒは、先の実施形態で説明した構成に限るものではなく、適宜変更することが可能である。
移動阻止機構Ｒを構成する突片金物４Ａａは、先の実施形態で説明した照明ケース４の側辺部４Ａの内周部に設けてあるものに限らず、例えば、図６に示すように、突出端部４Ｄに対して取り付けてあってもよい。
要するに、移動阻止機構Ｒは、開閉蓋３が閉状態で蓋厚み方向へ移動するのを阻止するものであればよい。
【００２７】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２８】
３      開閉蓋
３ａ    掛止部
４      照明ケース
５      蛍光灯（発光部の一例）
６      連結部
Ｈ      ヒンジ
Ｈ１    第１ヒンジ
Ｈ２    第２ヒンジ
Ｒ      移動阻止機構
【図１】
2010199031.tif 000003
【図２】
2010199031.tif 000004
【図３】
2010199031.tif 000005
【図４】
2010199031.tif 000006
【図５】
2010199031.tif 000007
【図６】
2010199031.tif 000008